(57)【要約】【課題】高落差利用の水力発電は存在しているが、低落差の利用水力発電は少ない、一方、災害時の河川の水量増大、又干水に対しても心配が少ない水力発電を提供する。【解決手段】支柱に取り付けてあるドラム及び羽根に空気を密閉して附着しているので河川の水面に浮力が働き増水して対応できる、更に干水にも応じることができることを特微とする水力発電。【選択図】図１
2020090955.tif 000002
【特許請求の範囲】
【請求項１】
支柱の下部にシャフト付、スプロケット付ドラムに羽根付て、ドラム、羽根は、それぞれエアを内蔵し、一部密閉し、水面に浮かせる、更に横置き２例３例にしたり、縦に数セット連結することを特微とする水力発電。
【請求項２】
ドラム一式を河川に投入、取り出し移動する為、本柱、吊上横柱を建てて、そこに吊下ワイヤをドラム一式を移動可能なことを特微とする請求項１の水力発電。
【請求項３】
発電機の取り付け固数は、支柱の一式に１台、又は、支柱付数セットに１台を取り付け、更に大小スプロット付のスプロケットは、発電機の数と同数が望ましいことを特微とする請求項１記載の水力発電。
【発明の詳細な説明】
【技術分野】
【０００１】  本発明は、河川の小、中、大、規模に至る迄、電力を発生し、低落差で環境破壊を全くしない水力発電装置を提供する。
【背景の技術】
【０００２】  従来は、山野に於ける高低差の大きい簡易水力発電装置はあった、また構造が簡単な、水力発電装置もあった。
【先行技術文献】
【０００３】
【特許文献１】特開２０１１−１２７３３４号公報
【特許文献２】特開２０１１−１１７３１３号公報
【発明の概要】
【発明の解決しようとする課題】
【０００４】  特許文献１では、大型の水車に水を受ける羽根を利用して大量水を利用するので大型水車の設置が容易でなく設置ケ所が限定され、更に垂直に近ずける角度を高所より取り水速の早い大量水を利用する為、設置ケ所が限られている欠点があった。また特許文献２は、水流に添ってカップが筒体内を通週する際、筒体の内側とカップの外側先端のフ
2020090955.tif 000003
えられる。
本発明は、以上の問題点を解決するものである。
【課題を解決するための手段】
【０００５】  左右に支柱を設けその廻りに２段３段の支柱固定板を取り付ける、更にシャフト付スプロケット付ドラムを取り付ける、そのために支柱に固定板を取り付ける、更にドラムの外側に数枚の羽根を取り付ける、更にシャフト付スプロケット付ドラムを固定板を支柱に取り付けと同時に連結板を取り付ける、更にシャフト付スプロケット付ドラムをセットとして２セットを平行してそれぞれ取り付ける、更に３セット目は別の支柱に近くなる為そこに固定板と連結する、更に３セットは連結板で結ぶ、更に３セットの反対奥へシャフトを延長して支柱に固定板て連結する、その場合、固定板、連結板は利用取り付ける、３セットの一方は、連結ベルトを取り付ける、更に３セットの各ドラムは密閉にしてエア付とし羽根にもそれぞれエア付とする。
３セットの上部の支柱に、フック取り付けそこに吊フックを取り付ける、更に１セット目のシャフト付スプロケット付ドラムの上側に別の固定板を取り付その先に大小のスプロケットを取り付け、小スプロケットと１セット目スプロケットをベルトで連結する、更にその上側に大小スプロケットの小スプロケットと下の大きいスプロケットをベルトで連結する、更に上側大小スプロケットの小スプロケットと下側大きいスプロケットを連結する、更に大小スプロケットの小スプロケットと下側の大スプロケットを連結する、更に大小スプロケットの大きいスプロケットを発電機のプーリを下側の大スプロケットを連結する、そして各スプロケットは固定板をスプロケット支柱に取り付、更に上下の連結には、ベルトでそれぞれ連結する。更に支柱付上部吊フック付の３セット一式を移動するため、又固定するため、河川の敷地、土手、堤防に柱を建て上は支柱の高さより高く土中に埋める、更に柱の上側に河川側へ吊上横柱を取り付け、先端に柱よりワイヤ付のスプロケットを取り付る、ワイヤを伸ばしたり、ちぢましたり柱にハンドルで行い、更に吊フックに吊下げワイヤを取り付け、吊下フックを吊上横柱を使用して河川に入れる、更に支柱と別の隣に接続する為支柱同士をブラケットで連結する、更にシャシャフトは、支柱同士のブラケット接続ごとに切りはなされていて、差し込み式にしたり、ネジ込み式等にしている為そこにカバー付であることを備えていることを特微とする水力発電装置。
【発明の効果】
【０００６】  河川の高低差が小さく、水量の増水、干水にも常に利用でき災害に対しても心配が少なく使用が可能でき方向が強く、更に再生自然パワー利用するため使用前後共、一切のＣＯ２はださず、しかもメンテナンスも少なく考え一日中使用可能である。
【図面の簡単な説明】
【０００７】
【図１】  本発明の斜視図
【図２】  本発明の側面図
【発明を実施するための形態】
【０００８】  以下、本発明の実施形態について説明する。
支柱（１）に固定支柱を設ける、その支柱（１）に固定板（３）を取り付ける、その先にシャフト（１１）を持ったドラム（１３）を取り付、その脇にスプロケット（２７）をを取り付ける、更にドラム（１３）の外部回りに数枚の羽根（１６）水受用として取り付ける、更に平行してシャフト（１１）、ドラム（１４）を連結する、更にドラム（１４）のシャフトとドラム（１５）のシャフトを連結板で接続し、支柱（１）に固定板（３）で固定する。同様にそれぞれにスプロケット及び羽根を取り付け、更に各スプロケットをベルト（５）で連続結ぶ、更に各ドラムは、密閉し、空気を注入し、更に羽根部にも空気が一部保有されいる構造となっている。
更にドラム（１３）の上部側に支柱（１）に固定板（３）を取り付け、スプロケット（８）付小型と大型スプロケット（７）を取り付ける、更にスプロケット（８）とスプロケット（２７）をベルト（６）で連結する、更にその上部にスプロケット（９）の付いてる大型スプロケットを取り付スプロケット（８）とスプロケット（９）の大型をベルト（６）で結ぶ、更にスプロケット（９）の大型スプロケットと上部に着いているスプロケット（１０）とベルトで結ぶ、更にその上部にスプロケット（１９）を取り付けスプロケット（１０）の大型スプロケットでベルトで結ぶ。更にスプロケット（１９）の大型スプロケットで発電機（１２）とベルトで結ぶ。スプロケット各シャフト付の固には（７）（９）（１０）（１９）又発電機は、それぞれ支柱（１）に各固定板（３）が取り付けられている、更に各スプロケットには、スプロケットはシャフト付である。更に発電機の発生電力を揚げるために、各スプロットを大型化したり、設置数量の増減小型化したりすることがある、
更に、支柱（１）の上部にフック取付板（１７）を取り付け、そこに数ケ所、吊フック（１８）を取り付け、更に（支柱（１）の脇の河川の土手、堤防、浅い河川敷、ある
2020090955.tif 000004
にその先に長いワイヤ（２４）を張る、更にワイヤの巻取ができる巻取スプロケット（２１）を付け、更にそれ巻取りしたり、送り込んだりするため本柱（２６）に巻取りハンドルを取り付ける、更に吊上横柱（２０）を利用して付いているワイヤに吊フック（１８）と接続し全体部を河川に運んだり引き寄せたりできる、更にドラムにあるシャフト（１１）は、連結できる為、シフトとシャフトは、切り込み、ネジシメにありその上にカバー取り付ける、支柱（１）を連結しそのため隣同士接続ブラケットで結ぶ、更に吊下ワイヤは長くすることで高所よりドラム（１３）（１４）（１５）を回転により発電できる。
本発明は、以上のような構造である。
【０００９】  本発明を使用する時は、支柱（１）を建てそこに、固定支柱（２）を取り付け下部にシャフト付スプロケット付ドラムに羽根を付け、更に前へ固定板、ベルト連結板で取り付ける、更に支柱（１）の上部にフック取付板を取り付けそこに吊フックを取り付ける、更に、河川敷の所に、堤防等に本柱（２６）を埋設、上部に吊上横柱を取り付けその
2020090955.tif 000005
を河川の奥へ、又引揚がができる発電装置。
【符号の説明】
【００１０】１、支柱  ２、固定支柱  ３  固定板  ４  連結板  ５  ベルト  ６  ベルト  ７  スプロケット  ８  スプロケット  ９  スプロケット  １０  スプロケット  １１  シャフト  １２  発電機  １３  ドラム  １４  ドラム  １５  ドラム  １６  羽根  １７  フック取付板  １８  吊フック  １９  スプロケット  ２０  吊上横支柱  ２１  巻取スプロケット  ２２  巻取ハンドル  ２３  巻取ワイヤ  ２４  吊上横柱用ワイヤ  ２５  ブラケット  ２６  本柱
【図１】
2020090955.tif 000006
【図２】
2020090955.tif 000007